(57)【要約】  本発明は、ユーザ装置（ＵＥ）をページングする方法、第１ネットワーク装置、ユーザ装置（ＵＥ）、及びコンピュータ記憶媒体を開示し、前記方法は、第１ネットワーク装置又は第２ネットワーク装置がコアネットワークから送信されたデータパケットを受信した時、前記第１ネットワーク装置に対応する第１ページング領域内でＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことを含む。
2021513756.tif 000002
【特許請求の範囲】
【請求項１】
ユーザ装置（ＵＥ）をページングする方法であって、第１ネットワーク装置に適用され、
第１ネットワーク装置又は第２ネットワーク装置がコアネットワークから送信されたデータパケットを受信した時、前記第１ネットワーク装置に対応する第１ページング領域内においてＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことを含むユーザ装置（ＵＥ）をページングする方法。
【請求項２】
前記方法は更に、
前記第１ネットワーク装置がコアネットワークから送信されたデータパケットを受信した場合、第２ネットワーク装置をトリガして第２ネットワーク装置に対応する第２ページング領域内においてＲＡＮ初期ページングを開始するようにさせ、そして受信したデータパケットに対応するＤＲＢ識別ＩＤ情報を前記第２ネットワーク装置に知らせることを含む請求項１に記載の方法。
【請求項３】
第１ネットワーク装置又は第２ネットワーク装置がコアネットワークから送信されたデータパケットを受信した場合、前記第１ネットワーク装置に対応する第１ページング領域内においてＲＡＮ初期ページングを開始することは、更に、
前記第２ネットワーク装置がコアネットワークから送信されたデータパケットを受信した場合、第２ネットワーク装置のトリガに基づいて、前記第１ネットワーク装置に対応する第１ページング領域内においてＲＡＮ初期ページングを開始し、そして第２ネットワーク装置から送信された、第２ネットワーク装置の受信したデータパケットに対応するＤＲＢ識別ＩＤ情報を受信することを含む請求項１に記載の方法。
【請求項４】
前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことは、
ページング領域内のＲＡＮノードと第１ネットワーク装置又は第２ネットワーク装置のうちの１つのネットワーク装置との間にＸ２／Ｘｎ接続が存在する場合、前記ＲＡＮ初期ページングにおいて、前記ＵＥがＲＲＣ回復要求をする時に使用するＵＥコンテキスト識別子が、ページング領域内のＲＡＮノードとの間にＸ２／Ｘｎ接続が存在するネットワーク装置が割り当てたＵＥコンテキスト識別子であると示すことを含む請求項１に記載の方法。
【請求項５】
前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことは、
ページング領域内のＲＡＮノードと第１ネットワーク装置及び第２ネットワーク装置のいずれとの間にもＸ２／Ｘｎ接続が存在する場合、前記コアネットワークのデータパケットが第１ネットワーク装置又は第２ネットワーク装置のうちの１つのネットワーク装置に送信されることに基づいて、前記ＲＡＮ初期ページングにおいて、前記ＵＥがＲＲＣ回復要求をする時に使用するＵＥコンテキスト識別子を決定することを含む請求項１に記載の方法。
【請求項６】
前記第１ネットワーク装置又は第２ネットワーク装置がコアネットワークから送信されたデータパケットを受信する前に、前記方法は更に、
第１ネットワーク装置に対応する第１ページング領域、及び第２ネットワーク装置に対応する第２ページング領域を、前記ＵＥに設定することを含む請求項１〜５のいずれか１項に記載の方法。
【請求項７】
第１ネットワーク装置に対応する第１ページング領域、及び第２ネットワーク装置に対応する第２ページング領域を前記ＵＥに設定する前に、前記方法は更に、
第２ネットワーク装置の設定した第２ページング領域を取得することを含む請求項６に記載の方法。
【請求項８】
前記方法は更に、
第１ネットワーク装置が、第１ネットワーク装置の割り当てたＵＥコンテキスト識別子及び第２ネットワーク装置の割り当てたＵＥコンテキスト識別子を、前記ＵＥに設定することを含む請求項６に記載の方法。
【請求項９】
ＵＥをページングする方法であって、ＵＥに適用され、
第１ネットワーク装置に対応する第１ページング領域、又は、第２ネットワーク装置に対応する第２ページング領域においてＲＡＮ初期ページングを受信することと、
前記ＲＡＮ初期ページングから、前記ネットワーク側の指示する、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であることを取得することと、を含むＵＥをページングする方法。
【請求項１０】
前記方法は更に、
前記ＲＡＮ初期ページングに更に含まれるＵＥコンテキスト識別情報に基づいて、前記ＲＡＮ初期ページングにおける対応するＵＥコンテキスト識別子を採用して、ネットワーク側へＲＲＣ接続回復処理を開始することを含む請求項９に記載の方法。
【請求項１１】
第１ネットワーク装置に対応する第１ページング領域、又は、第２ネットワーク装置に対応する第２ページング領域においてＲＡＮ初期ページングを受信する前に、前記方法は更に、
第１ネットワーク装置により前記ＵＥに設定される、第１ネットワーク装置に対応する第１ページング領域、及び第２ネットワーク装置に対応する第２ページング領域を受信することを含む請求項９に記載の方法。
【請求項１２】
前記方法は更に、
第１ネットワーク装置により前記ＵＥに設定される、第１ネットワーク装置の割り当てたＵＥコンテキスト識別子及び第２ネットワーク装置の割り当てたＵＥコンテキスト識別子を取得することを含む請求項９に記載の方法。
【請求項１３】
第１ネットワーク装置であって、
第１ネットワーク装置又は第２ネットワーク装置がコアネットワークから送信されたデータパケットを受信した時、前記第１ネットワーク装置に対応する第１ページング領域内でＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示す第１処理ユニットと、
ＲＡＮ初期ページングを開始する第１通信ユニットと、を含む第１ネットワーク装置。
【請求項１４】
前記第１処理ユニットは、前記第１ネットワーク装置がコアネットワークから送信されたデータパケットを受信した場合、第２ネットワーク装置をトリガして第２ネットワーク装置に対応する第２ページング領域内においてＲＡＮ初期ページングを開始するようにさせ、そして受信したデータパケットに対応するＤＲＢ識別ＩＤ情報を前記第２ネットワーク装置に知らせる請求項１３に記載の第１ネットワーク装置。
【請求項１５】
前記第１処理ユニットは、前記第２ネットワーク装置がコアネットワークから送信されたデータパケットを受信した場合、第２ネットワーク装置のトリガに基づいて、第１通信ユニットによって第１ページング領域内においてＲＡＮ初期ページングを開始し、そして第２ネットワーク装置から送信された、第２ネットワーク装置の受信したデータパケットに対応するＤＲＢ識別ＩＤ情報を受信する請求項１３に記載の第１ネットワーク装置。
【請求項１６】
前記第１処理ユニットは、ページング領域内のＲＡＮノードと第１ネットワーク装置又は第２ネットワーク装置のうちの１つのネットワーク装置との間にＸ２／Ｘｎ接続が存在する場合、前記ＲＡＮ初期ページングにおいて、前記ＵＥがＲＲＣ回復要求をする時に使用するＵＥコンテキスト識別子が、ページング領域内のＲＡＮノードとの間にＸ２／Ｘｎ接続が存在するネットワーク装置が割り当てたＵＥコンテキスト識別子であると示す請求項１３に記載の第１ネットワーク装置。
【請求項１７】
前記第１処理ユニットは、ページング領域内のＲＡＮノードと第１ネットワーク装置及び第２ネットワーク装置のいずれとの間にもＸ２／Ｘｎ接続が存在する場合、前記コアネットワークのデータパケットが第１ネットワーク装置又は第２ネットワーク装置のうちの１つのネットワーク装置に送信されることに基づいて、前記ＲＡＮ初期ページングにおいて、前記ＵＥがＲＲＣ回復要求をする時に使用するＵＥコンテキスト識別子を決定する請求項１３に記載の第１ネットワーク装置。
【請求項１８】
前記第１処理ユニットは、第１ネットワーク装置に対応する第１ページング領域、及び第２ネットワーク装置に対応する第２ページング領域を前記ＵＥに設定する請求項１３〜１７のいずれか１項に記載の第１ネットワーク装置。
【請求項１９】
前記第１処理ユニットは、第２ネットワーク装置の設定した第２ページング領域を取得する請求項１８に記載の第１ネットワーク装置。
【請求項２０】
前記第１通信ユニットは、第１ネットワーク装置の割り当てたＵＥコンテキスト識別子及び第２ネットワーク装置の割り当てたＵＥコンテキスト識別子を前記ＵＥに設定する請求項１９に記載の第１ネットワーク装置。
【請求項２１】
ＵＥであって、
第１ネットワーク装置に対応する第１ページング領域、又は、第２ネットワーク装置に対応する第２ページング領域においてＲＡＮ初期ページングを受信する第２通信ユニットと、
前記ＲＡＮ初期ページングから、前記ネットワーク側の指示する、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であることを取得する第２処理ユニットと、を含むＵＥ。
【請求項２２】
前記第２処理ユニットは、前記ＲＡＮ初期ページングに更に含まれるＵＥコンテキスト識別情報に基づいて、前記ＲＡＮ初期ページングにおける対応するＵＥコンテキスト識別子を採用して、ネットワーク側へＲＲＣ接続回復処理を開始する請求項２１に記載のＵＥ。
【請求項２３】
前記第２通信ユニットは、第１ネットワーク装置により前記ＵＥに設定される、第１ネットワーク装置に対応する第１ページング領域、及び第２ネットワーク装置に対応する第２ページング領域を受信する請求項２１に記載のＵＥ。
【請求項２４】
前記第２通信ユニットは、第１ネットワーク装置により前記ＵＥに設定される、第１ネットワーク装置の割り当てたＵＥコンテキスト識別子及び第２ネットワーク装置の割り当てたＵＥコンテキスト識別子を取得する請求項２１に記載のＵＥ。
【請求項２５】
第１ネットワーク装置であって、プロセッサ、及びプロセッサにおいて実行できるコンピュータプログラムを記憶するためのメモリを含み、
前記プロセッサは、前記コンピュータプログラムが実行される時、請求項１〜８のいずれか１項に記載の方法のステップを実行することに用いられる第１ネットワーク装置。
【請求項２６】
第１ネットワーク装置であって、プロセッサ、及びプロセッサにおいて実行できるコンピュータプログラムを記憶するためのメモリを含み、
前記プロセッサは、前記コンピュータプログラムが実行される時、請求項９〜１２のいずれか１項に記載の方法のステップを実行することに用いられる第１ネットワーク装置。
【請求項２７】
コンピュータ記憶媒体であって、コンピュータ実行可能な命令が記憶され、前記コンピュータ実行可能な命令が実行される時、請求項１〜１２のいずれか１項に記載の方法のステップが実現されるコンピュータ記憶媒体。
【発明の詳細な説明】
【技術分野】
【０００１】
本発明は通信処理技術分野に関し、特にユーザ装置（ＵＥ）をページングする方法、第１ネットワーク装置、ユーザ装置（ＵＥ）及びコンピュータ記憶媒体に関する。
【背景技術】
【０００２】
５Ｇの主な応用シーンは、拡張モバイルブロードバンド（ｅＭＢＢ）、低遅延高信頼通信（ＵＲＬＬＣ）、大量マシン通信（ｍＭＴＣ）である。５Ｇネットワーク環境では、無線シグナリングを低減し、無線接続を迅速に回復し、データ・トラフィックを迅速に回復するために、新しいＲＲＣ状態、即ちＲＲＣ＿ＩＮＡＣＴＩＶＥ状態（無線リソース制御−非アクティブ状態）が定義されている。この状態は、無線リソース制御−アイドル状態（ＲＲＣ＿ＩＤＬＥ）及び無線リソース制御−アクティブ状態（ＲＲＣ＿ＡＣＴＩＶＥ）とは異なる。ＵＥがＲＲＣ＿ＩＮＡＣＴＩＶＥ状態にある時、ネットワーク側は専用シグナリングを介してＵＥにＲＡＮのページング領域を設定し、該ＲＡＮページング領域は、１つのセル又は複数のセルであってもよい。
【０００３】
現在、デュアル接続（ＤＣ）モードではＩＮＡＣＴＩＶＥ状態がサポートされず、そしてＩＮＡＣＴＩＶＥ  ｓｔａｔｅ又はｓｕｓｐｅｎｄ状態からＤＣモードに回復することもサポートされないため、セカンダリセルグループ（ＳＣＧ）の分岐キャリア（ｓｐｌｉｔ  ｂｅａｒｅｒ）とＳＣＧキャリアｂｅａｒｅｒでは、ＩＮＡＣＴＩＶＥ  ｓｔａｔｅ又はｓｕｓｐｅｎｄ状態の回復時にベアラを紛失する。そのため、ＤＣ設定モードは、ＩＮＡＣＴＩＶＥの、例えば、迅速接続回復、低遅延データ伝送、及び低シグナリング負荷などのメリットを得ることができない。
【発明の概要】
【０００４】
上記の技術課題を解決するために、本発明の実施例は、ユーザ装置（ＵＥ）をページングする方法、第１ネットワーク装置、ユーザ装置（ＵＥ）及びコンピュータ記憶媒体を提供する。
【０００５】
本発明の実施例が提供するユーザ装置（ＵＥ）をページングする方法は、第１ネットワーク装置に適用され、
第１ネットワーク装置又は第２ネットワーク装置がコアネットワークから送信されたデータパケットを受信した時、前記第１ネットワーク装置に対応する第１ページング領域内でＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことを含む。
【０００６】
本発明の実施例が提供するＵＥをページングする方法は、ＵＥに適用され、
第１ネットワーク装置に対応する第１ページング領域、又は、第２ネットワーク装置に対応する第２ページング領域においてＲＡＮ初期ページングを受信することと、
前記ＲＡＮ初期ページングから、前記ネットワーク側の指示する、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であることを取得することと、を含む。
【０００７】
本発明の実施例が提供する第１ネットワーク装置は、
第１ネットワーク装置又は第２ネットワーク装置がコアネットワークから送信されたデータパケットを受信した時、前記第１ネットワーク装置に対応する第１ページング領域内でＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示す第１処理ユニットと、
ＲＡＮ初期ページングを開始する第１通信ユニットと、を含む。
【０００８】
本発明の実施例が提供するＵＥは、
第１ネットワーク装置に対応する第１ページング領域、又は、第２ネットワーク装置に対応する第２ページング領域においてＲＡＮ初期ページングを受信する第２通信ユニットと、
前記ＲＡＮ初期ページングから、前記ネットワーク側の指示する、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であることを取得する第２処理ユニットと、を含む。
【０００９】
本発明の実施例は第１ネットワーク装置を提供し、プロセッサ、及びプロセッサにおいて実行できるコンピュータプログラムを記憶するためのメモリを含み、
前記プロセッサは、前記コンピュータプログラムが実行される時、前述の方法のステップを実行することに用いられる。
【００１０】
本発明の実施例はユーザ装置（ＵＥ）を提供し、プロセッサ、及びプロセッサにおいて実行できるコンピュータプログラムを記憶するためのメモリを含み、
前記プロセッサは、前記コンピュータプログラムが実行される時、前述の方法のステップを実行することに用いられる。
【００１１】
本発明の実施例はコンピュータ記憶媒体を提供し、前記コンピュータ記憶媒体にはコンピュータ実行可能な命令が記憶され、前記コンピュータ実行可能な命令が実行される時、前述の方法ステップが実現される。
【００１２】
本発明の実施例の技術案では、デュアル接続モードにある第１ネットワーク装置及び第２ネットワーク装置において、ＵＥに設定した異なる２つのページング領域及び２種類のＵＥコンテキスト識別子に基づいて、独立してページングをトリガし、そして、ページングメッセージにおいて、ＲＲＣ接続回復を開始するＵＥがどのネットワーク装置がＵＥに設定したＵＥコンテキスト識別子を使用するかを、ＵＥに示すことができる。それによって、データの転送を回避し、そしてＣＮを介してＵＥコンテキスト情報を取得するのも回避し、そしてＤＣモードでの非アクティブ状態もサポートできる。
【図面の簡単な説明】
【００１３】
【図１】図１は本発明の実施例が提供する、ユーザ装置をページングする方法の模式的なフローチャート１である。
【図２】図２は本発明の実施例が提供する、ユーザ装置をページングする方法の模式的なフローチャート２である。
【図３】図３は本発明の実施例の第１ネットワーク装置の構成構造の模式図である。
【図４】図４は本発明の実施例のユーザ装置の構成構造の模式図である。
【図５】図５は本発明の実施例のハードウェアワークアーキテクチャの模式図である。
【発明を実施するための形態】
【００１４】
本発明の実施例の特徴と技術内容をより詳しく理解してもらうために、以下は図面を参照しながら本発明の実施例の実現について詳しく説明する。添付の図面は単に説明・参考するためのもので、本発明の実施例を限定するためのものではない。
【００１５】
実施例１、
本発明の実施例はユーザ装置（ＵＥ）をページングする方法を提供し、第１ネットワーク装置に適用され、前記方法は、第１ネットワーク装置又は第２ネットワーク装置がコアネットワークから送信されたデータパケットを受信した時、前記第１ネットワーク装置に対応する第１ページング領域内でＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことを含む。
【００１６】
第１ネットワーク装置及び第２ネットワーク装置は、デュアル接続モードにあるネットワーク装置であってもよい。
【００１７】
前述の案では、ネットワーク側がどのようにＵＥに対してページングを開始するかについて説明しているが、第１ページング領域、第２ページング領域について、前述の案を実行する前に更に処理を行う必要があり、具体的に前述の案と組み合わせて本実施例の処理プロセスを形成する。前記プロセスは、図１のように、以下のステップ１０１〜ステップ１０２を含む。
【００１８】
ステップ１０１では、第１ネットワーク装置に対応する第１ページング領域、及び第２ネットワーク装置に対応する第２ページング領域を、前記ＵＥに設定する。
【００１９】
ステップ１０２では、第１ネットワーク装置又は第２ネットワーク装置がコアネットワークから送信されたデータパケットを受信した時、前記第１ネットワーク装置に対応する第１ページング領域内においてＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示す。
【００２０】
以下は図１を参照しながら、設定及びページングの処理についてそれぞれ説明する。まずはどのように事前の設定をするかについて説明する。
【００２１】
第１ネットワーク装置に対応する第１ページング領域、及び第２ネットワーク装置に対応する第２ページング領域を実行する前に、前記方法は更に、
第２ネットワーク装置の設定した第２ページング領域を取得することを含む。
【００２２】
前述の第１ネットワーク装置と第２ネットワーク装置は、それぞれマスタノード（ＭＮ）とスレーブノード（ＳＮ）であってもよく、そのうち、第１ネットワーク装置はＭＮとして理解してもよく、第２ネットワーク装置はＳＮとして理解してもよい。
【００２３】
すなわち、まずＲＡＮページング領域の設定はＭＮとＳＮ（すなわち、第１ネットワーク装置と第２ネットワーク装置）が共同で決定し、ＭＮとＳＮとが協議してＵＥをＩＮＡＣＴＩＶＥ状態に解放すると決定した場合、ＳＮ（即ち第２ネットワーク装置）は決定したＲＡＮ第２ページング領域設定情報をＭＮ（即ち第１ネットワーク装置）に送信する。即ち、設定の時、第１ネットワーク装置は事前に自身の第１ページング領域を設定し、そして第２ネットワーク装置も自身の第２ページング領域を設定し、それから、第２ネットワーク装置は自身の設定した第２ページング領域を第１ネットワーク装置に送信し、第１ネットワーク装置は第１ページング領域及び第２ページング領域をユーザ装置（ＵＥ）に設定する。
【００２４】
前述のステップ１０２を実行する前に、更に、第１ネットワーク装置は、第１ネットワーク装置の割り当てたＵＥコンテキスト識別子及び第２ネットワーク装置の割り当てたＵＥコンテキスト識別子を、前記ＵＥに設定することを含んでもよく、すなわち、ＭＮとＳＮのいずれもＵＥに対応するコンテキストＩＤをＵＥに設定し、ＭＮは、ＭＮ及びＳＮのそれぞれがＵＥに設定するＭＮ及びＳＮに対応するＵＥコンテキストＩＤを設定する。それから、ＭＮはＭＮの決定したＲＡＮページング領域及びＳＮの決定したページング領域をＵＥに設定する。
【００２５】
ステップ１０２を実行する時、それは、第１ネットワーク装置及び第２ネットワーク装置のうちの１つのネットワーク装置が事前にコアネットワーク（ＣＮ）のデータパケットを受信した時にトリガされてもよい。
【００２６】
第１ネットワーク装置と第２ネットワーク装置のいずれのネットワーク装置がＣＮのデータパケットを受信しても、他方のネットワーク装置をトリガしてＲＡＮ初期ページングを行うようにさせ、そして受信したデータのデータベアラ（ＤＲＢ）識別情報ＩＤを他方のネットワーク装置に知らせる。すなわち、ＭＮ又はＳＮがＣＮからのデータパケットを受信した場合、Ｘｎ又はＸ２を介して相手をトリガしてＲＡＮ初期のページングを開始するようにさせ、それと同時に、受信したデータのＤＲＢ  ＩＤ情報を相手に知らせる。
【００２７】
分けて言うと、
前記第１ネットワーク装置がコアネットワークから送信されたデータパケットを受信した場合は、第２ネットワーク装置をトリガして第２ネットワーク装置に対応する第２ページング領域内においてＲＡＮ初期ページングを開始するようにさせ、そして受信したデータパケットに対応するＤＲＢ識別ＩＤ情報を前記第２ネットワーク装置に知らせ、
又は、
前記第２ネットワーク装置がコアネットワークから送信されたデータパケットを受信した場合は、第２ネットワーク装置のトリガに基づいて、前記第１ネットワーク装置に対応する第１ページング領域内においてＲＡＮ初期ページングを開始し、そして第２ネットワーク装置から送信された、第２ネットワーク装置の受信したデータパケットに対応するＤＲＢ識別ＩＤ情報を受信する。
【００２８】
すなわち、ＭＮはＭＮの設定したページング領域においてＲＡＮ初期のページングメッセージを開始し、ＳＮはＳＮの設定したページング領域においてＲＡＮ初期のページングメッセージを開始する。それと同時に、ＭＮとＳＮはページングメッセージにおいて、ＵＥがＲＲＣ回復要求メッセージにおいてＭＮそれともＳＮの設定したＵＥコンテキスト識別子を使用するかを示す。
【００２９】
具体的に、以下２つの方式があってもよい。
【００３０】
方式１、ページング領域内のＲＡＮノードと第１ネットワーク装置又は第２ネットワーク装置のうちの１つのネットワーク装置との間にＸ２／Ｘｎ接続が存在する場合、前記ＲＡＮ初期ページングにおいて、前記ＵＥがＲＲＣ回復要求をする時に使用するＵＥコンテキスト識別子が、ページング領域内のＲＡＮノードとの間にＸ２／Ｘｎ接続が存在するネットワーク装置が割り当てたＵＥコンテキスト識別子であると示す。
【００３１】
すなわち、今後ＲＡＮページング領域におけるＲＡＮノードは必ずしもＸ２／Ｘｎ接続がなく、そこで、ＵＥがＲＲＣ接続回復を開始するノードとＭＮ及びＳＮのどちらとの間に接続が存在すれば、そちらの方へＲＲＣ回復を開始し、コンテキストを取得できるように確保する。
【００３２】
方式２、
ページング領域内のＲＡＮノードと第１ネットワーク装置及び第２ネットワーク装置のいずれとの間にもＸ２／Ｘｎ接続が存在する場合、前記コアネットワークのデータパケットが第１ネットワーク装置又は第２ネットワーク装置のうちの１つのネットワーク装置に送信されることに基づいて、前記ＲＡＮ初期ページングにおいて、前記ＵＥがＲＲＣ回復要求をする時に使用するＵＥコンテキスト識別子を決定する。
【００３３】
すなわち、ＵＥがＲＲＣ接続回復を開始するノードは、ＭＮ及びＳＮのいずれとの間にもＸ２／Ｘｎ接続が存在し、そこで、ＭＮ及びＳＮのどちらにＣＮからのデータが存在すれば、そちらの方へＲＲＣ接続回復を開始し、データの転送を避ける。
【００３４】
要するに、ネットワーク側は実際の情況に応じて、ページングメッセージに適切な指示を入れる。
【００３５】
これで分かるように、上記の案を採用することで、デュアル接続モードにある第１ネットワーク装置及び第２ネットワーク装置において、ＵＥに設定した異なる２つのページング領域及び２種類のＵＥコンテキスト識別子に基づいて、独立してページングをトリガし、そして、ページングメッセージにおいて、ＲＲＣ接続回復を開始するＵＥがどのネットワーク装置がＵＥに設定したＵＥコンテキスト識別子を使用するかを、ＵＥに示すことができる。それによって、データの転送を回避し、そしてＣＮを介してＵＥコンテキスト情報を取得するのも回避し、そしてＤＣモードでのｉｎａｃｔｉｖｅ状態もサポートできる。
【００３６】
実施例２、
本発明の実施例はユーザ装置（ＵＥ）をページングする方法を提供し、ＵＥに適用され、前記方法は、図２に示すように、以下のステップ２０１〜ステップ２０２を含む。
【００３７】
ステップ２０１では、第１ネットワーク装置に対応する第１ページング領域、又は、第２ネットワーク装置に対応する第２ページング領域において、ＲＡＮ初期ページングを受信する。
【００３８】
ステップ２０２では、前記ＲＡＮ初期ページングから、前記ネットワーク側の指示する、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であることを取得する。
【００３９】
第１ネットワーク装置及び第２ネットワーク装置は、デュアル接続モードにあるネットワーク装置であってもよい。
【００４０】
以下は設定とページングの処理についてそれぞれ説明する。まずはどのように事前の設定をするかについて説明する。
【００４１】
第１ネットワーク装置に対応する第１ページング領域、又は、第２ネットワーク装置に対応する第２ページング領域においてＲＡＮ初期ページングを受信する前に、前記方法は更に、
第１ネットワーク装置により前記ＵＥに設定される、第１ネットワーク装置に対応する第１ページング領域、及び第２ネットワーク装置に対応する第２ページング領域を受信することを含む。
【００４２】
前述の第１ネットワーク装置と第２ネットワーク装置は、それぞれマスタノード（ＭＮ）とスレーブノード（ＳＮ）であってもよく、そのうち、第１ネットワーク装置はＭＮとして理解してもよく、第２ネットワーク装置はＳＮとして理解してもよい。
【００４３】
すなわち、まずＲＡＮページング領域の設定はＭＮとＳＮ（すなわち、第１ネットワーク装置と第２ネットワーク装置）が共同で決定し、ＭＮとＳＮとが協議してＵＥをＩＮＡＣＴＩＶＥ状態に解放すると決定した場合、ＳＮ（即ち第２ネットワーク装置）は決定したＲＡＮ第２ページング領域設定情報をＭＮ（即ち第１ネットワーク装置）に送信する。即ち、設定の時、第１ネットワーク装置は事前に自身の第１ページング領域を設定し、そして第２ネットワーク装置も自身の第２ページング領域を設定し、それから、第２ネットワーク装置は自身の設定した第２ページング領域を第１ネットワーク装置に送信し、第１ネットワーク装置は第１ページング領域及び第２ページング領域をユーザ装置（ＵＥ）に設定する。
【００４４】
更に、第１ネットワーク装置により前記ＵＥに設定される、第１ネットワーク装置の割り当てたＵＥコンテキスト識別子及び第２ネットワーク装置の割り当てたＵＥコンテキスト識別子を取得することを含んでもよく、すなわち、ＭＮとＳＮのいずれもＵＥに対応するコンテキストＩＤをＵＥに設定し、ＭＮは、ＭＮ及びＳＮのそれぞれがＵＥに設定するＭＮ及びＳＮに対応するＵＥコンテキストＩＤを設定する。それから、ＭＮはＭＮの決定したＲＡＮページング領域及びＳＮの決定したページング領域をＵＥに設定する。
【００４５】
ＲＡＮ初期ページングを行い、それは、第１ネットワーク装置及び第２ネットワーク装置のうちの１つのネットワーク装置が事前にコアネットワーク（ＣＮ）のデータパケットを受信した時にトリガされてもよい。前記ＲＡＮ初期ページングに更に含まれるＵＥコンテキスト識別情報に基づいて、前記ＲＡＮ初期ページングにおける対応するＵＥコンテキスト識別子を採用して、ネットワーク側へＲＲＣ接続回復処理を開始する。
【００４６】
具体的に、以下２つの方式があってもよい。
【００４７】
方式１、ページング領域内のＲＡＮノードと第１ネットワーク装置又は第２ネットワーク装置のうちの１つのネットワーク装置との間にＸ２／Ｘｎ接続が存在する場合、前記ＲＡＮ初期ページングにおいて、前記ＵＥがＲＲＣ回復要求をする時に使用するＵＥコンテキスト識別子が、ページング領域内のＲＡＮノードとの間にＸ２／Ｘｎ接続が存在するネットワーク装置が割り当てたＵＥコンテキスト識別子であると示す。
【００４８】
すなわち、今後ＲＡＮページング領域におけるＲＡＮノードは必ずしもＸ２／Ｘｎ接続がなく、そこで、ＵＥがＲＲＣ接続回復を開始するノードとＭＮ及びＳＮのどちらとの間に接続が存在すれば、そちらの方へＲＲＣ回復を開始し、コンテキストを取得できるように確保する。
【００４９】
方式２、
ページング領域内のＲＡＮノードと第１ネットワーク装置及び第２ネットワーク装置のいずれとの間にもＸ２／Ｘｎ接続が存在する場合、前記コアネットワークのデータパケットが第１ネットワーク装置又は第２ネットワーク装置のうちの１つのネットワーク装置に送信されることに基づいて、前記ＲＡＮ初期ページングにおいて、前記ＵＥがＲＲＣ回復要求をする時に使用するＵＥコンテキスト識別子を決定する。
【００５０】
すなわち、ＵＥがＲＲＣ接続回復を開始するノードは、ＭＮ及びＳＮのいずれとの間にもＸ２／Ｘｎ接続が存在し、そこで、ＭＮ及びＳＮのどちらにＣＮからのデータが存在すれば、そちらの方へＲＲＣ接続回復を開始し、データの転送を避ける。
【００５１】
それに対応して、ＵＥはページングを受信し、ページングにおける指示に基づいて、適切なｒｅｓｕｍｅ  ｉｄ（すなわち、ＵＥコンテキスト識別子）を使用してＲＲＣ回復プロセスを開始し、ＲＲＣ接続を回復する。
【００５２】
これで分かるように、上記の案を採用することで、デュアル接続モードにある第１ネットワーク装置及び第２ネットワーク装置において、ＵＥに設定した異なる２つのページング領域及び２種類のＵＥコンテキスト識別子に基づいて、独立してページングをトリガし、そして、ページングメッセージにおいて、ＲＲＣ接続回復を開始するＵＥがどのネットワーク装置がＵＥに設定したＵＥコンテキスト識別子を使用するかを、ＵＥに示すことができる。それによって、データの転送を回避し、そしてＣＮを介してＵＥコンテキスト情報を取得するのも回避し、そしてＤＣモードでのｉｎａｃｔｉｖｅ状態もサポートできる。
【００５３】
実施例３、
本発明の実施例は第１ネットワーク装置を提供し、前記第１ネットワーク装置は、図３に示すように、
第１ネットワーク装置又は第２ネットワーク装置がコアネットワークから送信されたデータパケットを受信した時、前記第１ネットワーク装置に対応する第１ページング領域内でＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示す第１処理ユニット３１と、
ＲＡＮ初期ページングを開始する第１通信ユニット３２と、を含む。
【００５４】
第１ネットワーク装置及び第２ネットワーク装置は、デュアル接続モードにあるネットワーク装置であってもよい。
【００５５】
前述の案では、ネットワーク側がどのようにＵＥに対してページングを開始するかについて説明しているが、第１ページング領域、第２ページング領域について、前述の案を実行する前に更に処理を行う必要があり、前記処理は、
第１通信ユニット３２が、第１ネットワーク装置に対応する第１ページング領域、及び第２ネットワーク装置に対応する第２ページング領域を、前記ＵＥに設定することと、
第１処理ユニット３１が、第１ネットワーク装置又は第２ネットワーク装置がコアネットワークから送信されたデータパケットを受信した時、第１通信ユニット３２を介して、前記第１ネットワーク装置に対応する第１ページング領域内でＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことと、を含む。
【００５６】
以下は図１を参照しながら、設定及びページングの処理についてそれぞれ説明する。まずはどのように事前の設定をするかについて説明する。
【００５７】
第１ネットワーク装置に対応する第１ページング領域、及び第２ネットワーク装置に対応する第２ページング領域を実行する前に、前記第１処理ユニット３１は第２ネットワーク装置の設定した第２ページング領域を取得する。
【００５８】
前述の第１ネットワーク装置と第２ネットワーク装置は、それぞれマスタノード（ＭＮ）とスレーブノード（ＳＮ）であってもよく、そのうち、第１ネットワーク装置はＭＮとして理解してもよく、第２ネットワーク装置はＳＮとして理解してもよい。
【００５９】
すなわち、まずＲＡＮページング領域の設定はＭＮとＳＮ（すなわち、第１ネットワーク装置と第２ネットワーク装置）が共同で決定し、ＭＮとＳＮとが協議してＵＥをＩＮＡＣＴＩＶＥ状態に解放すると決定した場合、ＳＮ（即ち第２ネットワーク装置）は決定したＲＡＮ第２ページング領域設定情報をＭＮ（即ち第１ネットワーク装置）に送信する。即ち、設定の時、第１ネットワーク装置は事前に自身の第１ページング領域を設定し、そして第２ネットワーク装置も自身の第２ページング領域を設定し、それから、第２ネットワーク装置は自身の設定した第２ページング領域を第１ネットワーク装置に送信し、第１ネットワーク装置は第１ページング領域及び第２ページング領域をユーザ装置（ＵＥ）に設定する。
【００６０】
第１通信ユニットは、第１ネットワーク装置の割り当てたＵＥコンテキスト識別子及び第２ネットワーク装置の割り当てたＵＥコンテキスト識別子を前記ＵＥに設定し、すなわち、ＭＮとＳＮのいずれもＵＥに対応するコンテキストＩＤをＵＥに設定し、ＭＮは、ＭＮ及びＳＮのそれぞれがＵＥに設定するＭＮ及びＳＮに対応するＵＥコンテキストＩＤを設定する。それから、ＭＮはＭＮの決定したＲＡＮページング領域及びＳＮの決定したページング領域をＵＥに設定する。
【００６１】
第１ネットワーク装置及び第２ネットワーク装置のうちの１つのネットワーク装置が事前にコアネットワーク（ＣＮ）のデータパケットを受信した時に、ＲＡＮ初期ページングの実行がトリガされてもよい。
【００６２】
第１ネットワーク装置と第２ネットワーク装置のいずれのネットワーク装置がＣＮのデータパケットを受信しても、他方のネットワーク装置をトリガしてＲＡＮ初期ページングを行うようにさせ、そして受信したデータのデータベアラ（ＤＲＢ）識別情報ＩＤを他方のネットワーク装置に知らせる。すなわち、ＭＮ又はＳＮがＣＮからのデータパケットを受信した場合、Ｘｎ又はＸ２を介して相手をトリガしてＲＡＮ初期のページングを開始するようにさせ、それと同時に、受信したデータのＤＲＢ  ＩＤ情報を相手に知らせる。
【００６３】
分けて言うと、
前記第１処理ユニットは、前記第１ネットワーク装置がコアネットワークから送信されたデータパケットを受信した場合、第２ネットワーク装置をトリガして第２ネットワーク装置に対応する第２ページング領域内においてＲＡＮ初期ページングを開始するようにさせ、そして受信したデータパケットに対応するＤＲＢ識別ＩＤ情報を前記第２ネットワーク装置に知らせ、
または、
前記第１処理ユニットは、前記第２ネットワーク装置がコアネットワークから送信されたデータパケットを受信した場合、第２ネットワーク装置のトリガに基づいて、前記第１ネットワーク装置に対応する第１ページング領域内においてＲＡＮ初期ページングを開始し、そして第２ネットワーク装置から送信された、第２ネットワーク装置の受信したデータパケットに対応するＤＲＢ識別ＩＤ情報を受信する。
【００６４】
すなわち、ＭＮはＭＮの設定したページング領域においてＲＡＮ初期のページングメッセージを開始し、ＳＮはＳＮの設定したページング領域においてＲＡＮ初期のページングメッセージを開始する。それと同時に、ＭＮとＳＮはページングメッセージにおいて、ＵＥがＲＲＣ回復要求メッセージにおいてＭＮそれともＳＮの設定したＵＥコンテキスト識別子を使用するかを示す。
【００６５】
具体的に、以下２つの方式があってもよい。
【００６６】
方式１、ページング領域内のＲＡＮノードと第１ネットワーク装置又は第２ネットワーク装置のうちの１つのネットワーク装置との間にＸ２／Ｘｎ接続が存在する場合、前記ＲＡＮ初期ページングにおいて、前記ＵＥがＲＲＣ回復要求をする時に使用するＵＥコンテキスト識別子が、ページング領域内のＲＡＮノードとの間にＸ２／Ｘｎ接続が存在するネットワーク装置が割り当てたＵＥコンテキスト識別子であると示す。
【００６７】
すなわち、今後ＲＡＮページング領域におけるＲＡＮノードは必ずしもＸ２／Ｘｎ接続がなく、そこで、ＵＥがＲＲＣ接続回復を開始するノードとＭＮ及びＳＮのどちらとの間に接続が存在すれば、そちらの方へＲＲＣ回復を開始し、コンテキストを取得できるように確保する。
【００６８】
方式２、
ページング領域内のＲＡＮノードと第１ネットワーク装置及び第２ネットワーク装置のいずれとの間にもＸ２／Ｘｎ接続が存在する場合、前記コアネットワークのデータパケットが第１ネットワーク装置又は第２ネットワーク装置のうちの１つのネットワーク装置に送信されることに基づいて、前記ＲＡＮ初期ページングにおいて、前記ＵＥがＲＲＣ回復要求をする時に使用するＵＥコンテキスト識別子を決定する。
【００６９】
すなわち、ＵＥがＲＲＣ接続回復を開始するノードは、ＭＮ及びＳＮのいずれとの間にもＸ２／Ｘｎ接続が存在し、そこで、ＭＮ及びＳＮのどちらにＣＮからのデータが存在すれば、そちらの方へＲＲＣ接続回復を開始し、データの転送を避ける。
【００７０】
要するに、ネットワーク側は実際の情況に応じて、ページングメッセージに適切な指示を入れる。
【００７１】
これで分かるように、上記の案を採用することで、デュアル接続モードにある第１ネットワーク装置及び第２ネットワーク装置において、ＵＥに設定した異なる２つのページング領域及び２種類のＵＥコンテキスト識別子に基づいて、独立してページングをトリガし、そして、ページングメッセージにおいて、ＲＲＣ接続回復を開始するＵＥがどのネットワーク装置がＵＥに設定したＵＥコンテキスト識別子を使用するかを、ＵＥに示すことができる。それによって、データの転送を回避し、そしてＣＮを介してＵＥコンテキスト情報を取得するのも回避し、そしてＤＣモードでのｉｎａｃｔｉｖｅ状態もサポートできる。
【００７２】
実施例４、
本発明の実施例はＵＥを提供し、前記ＵＥは、図４に示すように、
第１ネットワーク装置に対応する第１ページング領域、又は、第２ネットワーク装置に対応する第２ページング領域においてＲＡＮ初期ページングを受信する第２通信ユニット４１と、
前記ＲＡＮ初期ページングから、前記ネットワーク側の指示する、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であることを取得する第２処理ユニット４２と、を含む。
【００７３】
第１ネットワーク装置及び第２ネットワーク装置は、デュアル接続モードにあるネットワーク装置であってもよい。
【００７４】
以下は設定とページングの処理についてそれぞれ説明する。まずはどのように事前の設定をするかについて説明する。
【００７５】
第１ネットワーク装置に対応する第１ページング領域、又は、第２ネットワーク装置に対応する第２ページング領域においてＲＡＮ初期ページングを受信する前に、前記第２通信ユニットは、第１ネットワーク装置により前記ＵＥに設定される、第１ネットワーク装置に対応する第１ページング領域、及び第２ネットワーク装置に対応する第２ページング領域を受信する。
【００７６】
前述の第１ネットワーク装置と第２ネットワーク装置は、それぞれマスタノード（ＭＮ）とスレーブノード（ＳＮ）であってもよく、そのうち、第１ネットワーク装置はＭＮとして理解してもよく、第２ネットワーク装置はＳＮとして理解してもよい。
【００７７】
すなわち、まずＲＡＮページング領域の設定はＭＮとＳＮ（すなわち、第１ネットワーク装置と第２ネットワーク装置）が共同で決定し、ＭＮとＳＮとが協議してＵＥをＩＮＡＣＴＩＶＥ状態に解放すると決定した場合、ＳＮ（即ち第２ネットワーク装置）は決定したＲＡＮ第２ページング領域設定情報をＭＮ（即ち第１ネットワーク装置）に送信する。即ち、設定の時、第１ネットワーク装置は事前に自身の第１ページング領域を設定し、そして第２ネットワーク装置も自身の第２ページング領域を設定し、それから、第２ネットワーク装置は自身の設定した第２ページング領域を第１ネットワーク装置に送信し、第１ネットワーク装置は第１ページング領域及び第２ページング領域をユーザ装置（ＵＥ）に設定する。
【００７８】
前記第２通信ユニットは、第１ネットワーク装置により前記ＵＥに設定される、第１ネットワーク装置の割り当てたＵＥコンテキスト識別子及び第２ネットワーク装置の割り当てたＵＥコンテキスト識別子を取得し、すなわち、ＭＮとＳＮのいずれもＵＥに対応するコンテキストＩＤをＵＥに設定し、ＭＮは、ＭＮ及びＳＮのそれぞれがＵＥに設定するＭＮ及びＳＮに対応するＵＥコンテキストＩＤを設定する。それから、ＭＮはＭＮの決定したＲＡＮページング領域及びＳＮの決定したページング領域をＵＥに設定する。
【００７９】
ＲＡＮ初期ページングを行い、それは、第１ネットワーク装置及び第２ネットワーク装置のうちの１つのネットワーク装置が事前にコアネットワーク（ＣＮ）のデータパケットを受信した時にトリガされてもよい。前記ＲＡＮ初期ページングに更に含まれるＵＥコンテキスト識別情報に基づいて、前記ＲＡＮ初期ページングにおける対応するＵＥコンテキスト識別子を採用して、ネットワーク側へＲＲＣ接続回復処理を開始する。
【００８０】
具体的に、以下２つの方式があってもよい。
【００８１】
方式１、
ページング領域内のＲＡＮノードと第１ネットワーク装置又は第２ネットワーク装置のうちの１つのネットワーク装置との間にＸ２／Ｘｎ接続が存在する場合、前記ＲＡＮ初期ページングにおいて、前記ＵＥがＲＲＣ回復要求をする時に使用するＵＥコンテキスト識別子が、ページング領域内のＲＡＮノードとの間にＸ２／Ｘｎ接続が存在するネットワーク装置が割り当てたＵＥコンテキスト識別子であると示す。
【００８２】
すなわち、今後ＲＡＮページング領域におけるＲＡＮノードは必ずしもＸ２／Ｘｎ接続がなく、そこで、ＵＥがＲＲＣ接続回復を開始するノードとＭＮ及びＳＮのどちらとの間に接続が存在すれば、そちらの方へＲＲＣ回復を開始し、コンテキストを取得できるように確保する。
【００８３】
方式２、
ページング領域内のＲＡＮノードと第１ネットワーク装置及び第２ネットワーク装置のいずれとの間にもＸ２／Ｘｎ接続が存在する場合、前記コアネットワークのデータパケットが第１ネットワーク装置又は第２ネットワーク装置のうちの１つのネットワーク装置に送信されることに基づいて、前記ＲＡＮ初期ページングにおいて、前記ＵＥがＲＲＣ回復要求をする時に使用するＵＥコンテキスト識別子を決定する。
【００８４】
すなわち、ＵＥがＲＲＣ接続回復を開始するノードは、ＭＮ及びＳＮのいずれとの間にもＸ２／Ｘｎ接続が存在し、そこで、ＭＮ及びＳＮのどちらにＣＮからのデータが存在すれば、そちらの方へＲＲＣ接続回復を開始し、データの転送を避ける。
【００８５】
それに対応して、ＵＥはページングを受信し、前記第２処理ユニットはページングにおける指示に基づいて、適切なｒｅｓｕｍｅ  ｉｄ（すなわち、ＵＥコンテキスト識別子）を使用してＲＲＣ回復プロセスを開始し、ＲＲＣ接続を回復する。
【００８６】
これで分かるように、上記の案を採用することで、デュアル接続モードにある第１ネットワーク装置及び第２ネットワーク装置において、ＵＥに設定した異なる２つのページング領域及び２種類のＵＥコンテキスト識別子に基づいて、独立してページングをトリガし、そして、ページングメッセージにおいて、ＲＲＣ接続回復を開始するＵＥがどのネットワーク装置がＵＥに設定したＵＥコンテキスト識別子を使用するかを、ＵＥに示すことができる。それによって、データの転送を回避し、そしてＣＮを介してＵＥコンテキスト情報を取得するのも回避し、そしてＤＣモードでのｉｎａｃｔｉｖｅ状態もサポートできる。
【００８７】
本発明の実施例は更にユーザ装置、又は受信側装置のハードウェア構成アーキテクチャを提供し、図５に示すように、少なくとも１つのプロセッサ５１、メモリ５２、少なくとも１つのネットワークインタフェース５３を含む。各構成要素はバスシステム５４によって結合される。理解できるように、バスシステム５４はこれらの構成要素間の接続・通信を実現することに用いられる。バスシステム５４はデータバスを含む他、更に電源バス、制御バス及び状態信号バスを含む。しかし明確に説明するために、図５では様々なバスを全てバスシステム５４と表記する。
【００８８】
理解できるように、本発明の実施例におけるメモリ５２は揮発性メモリ又は不揮発性メモリであってもよく、又は、揮発性と不揮発性メモリの両方を含んでもよい。
【００８９】
幾つかの実施形態では、メモリ５２は以下の要素、オペレーティングシステム５２１及びアプリケーション５２２のような実行可能なモジュール又はデータ構造、又はそのサブセット、又はその拡張セットを記憶している。
【００９０】
前記プロセッサ５１は前述の実施例１又は２の方法ステップを処理できるように設定され、ここでは更に詳しく説明することをしない。
【００９１】
本発明の実施例はコンピュータ記憶媒体を提供し、前記コンピュータ記憶媒体にはコンピュータ実行可能な命令が記憶され、前記コンピュータ実行可能な命令が実行される時、前述の実施例１又は２の方法ステップが実行される。
【００９２】
本発明の実施例の上記装置がソフトウェア機能モジュールの形で実現され、そして独立した製品として販売又は使用される場合、コンピュータ読み取り可能な記憶媒体に記憶されてもよい。このような理解に基づくと分かるように、本発明の実施例の技術案の本質的な部分、又は従来技術に貢献する部分は、ソフトウェア製品の形式で具現でき、該コンピュータソフトウェア製品は１つの記憶媒体に記憶され、そして、１台のコンピュータ装置（パーソナルコンピュータ、サーバ、又はネットワーク装置等）に本発明の各実施例に記載の方法の全部又は一部を実行させるための若干の命令を含む。前述の記憶媒体は、ＵＳＢディスク、リムーバブルハードディスク、読み出し専用メモリ（ＲＯＭ、Ｒｅａｄ−Ｏｎｌｙ  Ｍｅｍｏｒｙ）、磁気ディスク又は光ディスク等、プログラムコードを記憶できる各種の媒体を含む。このように、本発明の実施例は、如何なる特定のハードウェアとソフトウェアの組み合わせにも制限されない。
【００９３】
それに対応して、本発明の実施例は更に、コンピュータプログラムが記憶されるコンピュータ記憶媒体を提供し、該コンピュータプログラムは、本発明の実施例のデータスケジューリング方法を実行するように設定される。
【００９４】
例示のために、本発明の好ましい実施例を開示したが、当業者は各種の改善、追加、置換を意識することが可能であり、従って、本発明の範囲は上記の実施例に制限されないとすべきである。
【図１】
2021513756.tif 000003
【図２】
2021513756.tif 000004
【図３】
2021513756.tif 000005
【図４】
2021513756.tif 000006
【図５】
2021513756.tif 000007
【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
ユーザ装置（ＵＥ）をページングする方法であって、第１ネットワーク装置に適用され、
第１ネットワーク装置又は第２ネットワーク装置がコアネットワークから送信されたデータパケットを受信した時、前記第１ネットワーク装置に対応する第１ページング領域内においてＲＡＮ初期ページングを開始し、そして前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことを含むユーザ装置（ＵＥ）をページングする方法。
【請求項２】
前記方法は更に、
前記第１ネットワーク装置がコアネットワークから送信されたデータパケットを受信した場合、第２ネットワーク装置をトリガして第２ネットワーク装置に対応する第２ページング領域内においてＲＡＮ初期ページングを開始するようにさせ、そして受信したデータパケットに対応するＤＲＢ識別ＩＤ情報を前記第２ネットワーク装置に知らせることを含む請求項１に記載の方法。
【請求項３】
第１ネットワーク装置又は第２ネットワーク装置がコアネットワークから送信されたデータパケットを受信した場合、前記第１ネットワーク装置に対応する第１ページング領域内においてＲＡＮ初期ページングを開始することは、更に、
前記第２ネットワーク装置がコアネットワークから送信されたデータパケットを受信した場合、第２ネットワーク装置のトリガに基づいて、前記第１ネットワーク装置に対応する第１ページング領域内においてＲＡＮ初期ページングを開始し、そして第２ネットワーク装置から送信された、第２ネットワーク装置の受信したデータパケットに対応するＤＲＢ識別ＩＤ情報を受信することを含む請求項１に記載の方法。
【請求項４】
前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことは、
ページング領域内のＲＡＮノードと第１ネットワーク装置又は第２ネットワーク装置のうちの１つのネットワーク装置との間にＸ２／Ｘｎ接続が存在する場合、前記ＲＡＮ初期ページングにおいて、前記ＵＥがＲＲＣ回復要求をする時に使用するＵＥコンテキスト識別子が、ページング領域内のＲＡＮノードとの間にＸ２／Ｘｎ接続が存在するネットワーク装置が割り当てたＵＥコンテキスト識別子であると示すことを含む請求項１に記載の方法。
【請求項５】
前記ＲＡＮ初期ページングにおいて、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示すことは、
ページング領域内のＲＡＮノードと第１ネットワーク装置及び第２ネットワーク装置のいずれとの間にもＸ２／Ｘｎ接続が存在する場合、前記コアネットワークのデータパケットが第１ネットワーク装置又は第２ネットワーク装置のうちの１つのネットワーク装置に送信されることに基づいて、前記ＲＡＮ初期ページングにおいて、前記ＵＥがＲＲＣ回復要求をする時に使用するＵＥコンテキスト識別子を決定することを含む請求項１に記載の方法。
【請求項６】
第１ネットワーク装置であって、
第１ネットワーク装置又は第２ネットワーク装置がコアネットワークから送信されたデータパケットを受信した時、前記第１ネットワーク装置に対応する第１ページング領域内でＲＡＮ初期ページングを開始し、そして前記ＲＡＮ初期ページングにおいて、ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であると示す第１処理ユニットと、
ＲＡＮ初期ページングを開始する第１通信ユニットと、を含む第１ネットワーク装置。
【請求項７】
前記第１処理ユニットは、前記第１ネットワーク装置がコアネットワークから送信されたデータパケットを受信した場合、第２ネットワーク装置をトリガして第２ネットワーク装置に対応する第２ページング領域内においてＲＡＮ初期ページングを開始するようにさせ、そして受信したデータパケットに対応するＤＲＢ識別ＩＤ情報を前記第２ネットワーク装置に知らせる請求項６に記載の第１ネットワーク装置。
【請求項８】
前記第１処理ユニットは、前記第２ネットワーク装置がコアネットワークから送信されたデータパケットを受信した場合、第２ネットワーク装置のトリガに基づいて、第１通信ユニットによって第１ページング領域内においてＲＡＮ初期ページングを開始し、そして第２ネットワーク装置から送信された、第２ネットワーク装置の受信したデータパケットに対応するＤＲＢ識別ＩＤ情報を受信する請求項６に記載の第１ネットワーク装置。
【請求項９】
前記第１処理ユニットは、第１ネットワーク装置に対応する第１ページング領域、及び第２ネットワーク装置に対応する第２ページング領域を前記ＵＥに設定する請求項６〜８のいずれか１項に記載の第１ネットワーク装置。
【請求項１０】
前記第１処理ユニットは、第２ネットワーク装置の設定した第２ページング領域を取得する請求項９に記載の第１ネットワーク装置。
【請求項１１】
前記第１通信ユニットは、第１ネットワーク装置の割り当てたＵＥコンテキスト識別子及び第２ネットワーク装置の割り当てたＵＥコンテキスト識別子を前記ＵＥに設定する請求項１０に記載の第１ネットワーク装置。
【請求項１２】
ＵＥであって、
第１ネットワーク装置に対応する第１ページング領域、又は、第２ネットワーク装置に対応する第２ページング領域においてＲＡＮ初期ページングを受信する第２通信ユニットと、
前記ＲＡＮ初期ページングから、ネットワーク側の指示する、前記ＵＥがＲＲＣ回復要求をする時に使用する識別子が、第１ネットワーク装置が割り当てたＵＥコンテキスト識別子又は第２ネットワーク装置が割り当てたＵＥコンテキスト識別子であることを取得する第２処理ユニットと、を含むＵＥ。
【請求項１３】
前記第２処理ユニットは、前記ＲＡＮ初期ページングに更に含まれるＵＥコンテキスト識別情報に基づいて、前記ＲＡＮ初期ページングにおける対応するＵＥコンテキスト識別子を採用して、ネットワーク側へＲＲＣ接続回復処理を開始する請求項１２に記載のＵＥ。
【請求項１４】
前記第２通信ユニットは、第１ネットワーク装置により前記ＵＥに設定される、第１ネットワーク装置に対応する第１ページング領域、及び第２ネットワーク装置に対応する第２ページング領域を受信する請求項１２に記載のＵＥ。
【請求項１５】
前記第２通信ユニットは、第１ネットワーク装置により前記ＵＥに設定される、第１ネットワーク装置の割り当てたＵＥコンテキスト識別子及び第２ネットワーク装置の割り当てたＵＥコンテキスト識別子を取得する請求項１２に記載のＵＥ。
【請求項１６】
コンピュータ記憶媒体であって、コンピュータ実行可能な命令が記憶され、前記コンピュータ実行可能な命令が実行される時、請求項１〜５のいずれか１項に記載の方法のステップが実現されるコンピュータ記憶媒体。
【手続補正２】
【補正対象書類名】図面
【補正対象項目名】図５
【補正方法】変更
【補正の内容】
【図５】
2021513756.tif 000008
【国際調査報告】
2021513756.tif 000009
2021513756.tif 000010
2021513756.tif 000011
2021513756.tif 000012